(57)【要約】【課題】端子を容易に抜き出すことができる端子収容装置を提供する。【解決手段】ケーシング３の収容孔３１には、可動部材４を上下方向へ移動可能に設ける。可動部材４は、図９に示す取出し位置と、この取出し位置から下方へ所定距離だけ離間した収容位置との間を移動可能にする。可動部材４の長手方向の中間部には、水平壁部４４を設ける。水平壁部４４には、端子５を載置する。水平壁部４４は、可動部材４が収容位置に位置したときには、端子５全体が収容孔３１内に収容され、可動部材４が取出し位置に位置したときには、端子５の下端部を除く大部分が収容孔３１から上方に突出するように、配置する。【選択図】図９
2014191874.tif 000002
【特許請求の範囲】
【請求項１】
先端部が開口した収容孔を有する装置本体を備え、ケーブルが接続された接続具が上記収容孔にその開口部から前方へ取り出し可能に収容された接続具収容装置において、
上記接続具を所定の支持位置から後方へ移動不能に支持する支持部が設けられた可動部材をさらに備え、
上記可動部材が、上記収容孔に収容位置とこの収容位置に対して前方に離間した取出し位置との間を前後方向へ移動可能に設けられていることを特徴とする接続具収容装置。
【請求項２】
上記支持部には、上記ケーブルが前後方向へ移動可能に挿通される貫通孔が形成され、
上記ケーブルをその径方向へ移動させて上記支持部の外部から上記貫通孔まで挿入することができるよう、上記支持部には、上記支持部の外面から上記貫通孔の内周面まで延びるスリットが形成されていることを特徴とする請求項１に記載の接続具収容装置。
【請求項３】
上記可動部材が上記収容位置とそこから上記収容孔の後端側へ所定距離だけ離れた装着位置との間を移動可能であり、上記可動部材が上記装着位置に位置しているときには、上記支持部が上記収容孔から後方へ抜け出て、上記支持部及び上記スリットが外部に開放されることを特徴とする請求項２に記載の接続具収容装置。
【請求項４】
上記接続具が上記支持位置に位置している状態において、上記可動部材が上記収容位置に移動させられると上記接続具のほぼ全部が上記収容孔内に収容され、上記可動部材が上記取出し位置に移動させられると、上記接続具の少なくとも先端部が上記収容孔から前方に突出させられることを特徴とする請求項１〜３のいずれかに記載の接続具収容装置。
【請求項５】
上記収容孔が断面四角形状に形成され、上記収容孔の長手方向から上記可動部材を見たとき、上記可動部材が「コ」字状をなすように、上記可動部材が、互いに対向して配置された第１及び第２壁部と、この第１及び第２壁部の一側部間に設けられた第３壁部とを有し、上記第１〜第３壁部の少なくとも一つに上記支持部が設けられていることを特徴とする請求項１〜４のいずれかに記載の接続具収容装置。
【請求項６】
上記第１及び第２壁部のうちの、上記支持位置に位置している上記接続具の少なくとも先端部と対向する部分が切り欠かれており、その切り欠き部は、上記可動部材が上記取出し位置に位置すると、少なくとも上記切り欠き部の上記接続具と対向した先端部が上記収容孔の開口部から外部に露出するように配置されていることを特徴とする請求項５に記載の接続具収容装置。
【請求項７】
上記可動部材の先端部には、操作部が設けられており、この操作部が上記支持位置に位置している上記接続具より前方に配置されていることを特徴とする請求項１〜６のいずれかに記載の接続具収容装置。
【発明の詳細な説明】
【技術分野】
【０００１】
この発明は、パソコン及びテレビの端子や、コンセント用のプラグ等の接続具を、不使用時には内部に収容し、使用時には取り出すことができる接続具収容装置に関する。
【背景技術】
【０００２】
一般に、この種の収容装置は、下記特許文献１に記載されているように、装置本体を有している。装置本体には、その前面に開口する収容孔が設けられている。収容孔には、その開口部から端子（接続具）が挿脱可能に収容されている。接続端子の後端部には、信号線等のケーブルが接続されており、ケーブルは例えばインターネットに接続されている。
【０００３】
端子の使用時には、収容孔の内周面と端子の外周面との間の隙間に親指と人差し指とを差し込む。そして、端子を摘まみ、収容孔から前方に引き出す。その後、端子をパソコン等に接続する。端子の不使用時には、端子をパソコンから抜き出し、収容孔にその開口部から挿入する。
【先行技術文献】
【特許文献】
【０００４】
【特許文献１】特開２００６−６６１５８号公報
【発明の概要】
【発明が解決しようとする課題】
【０００５】
上記従来の接続具収容装置において、端子を収容孔から前方へ引き出す際には、収容孔の内周面と端子の外周面との間に親指及び人差し指を差し込んで端子を摘まむ必要がある。ところが、収容孔の内周面と端子の外周面との間の隙間は小さなものである。隙間が大きいと見栄えが悪くなるからである。隙間が小さいため、端子が摘まみ難く、引き出し難いという問題があった。
【課題を解決するための手段】
【０００６】
この発明は、上記問題を解決するためになされたもので、先端部が開口した収容孔を有する装置本体を備え、ケーブルが接続された接続具が上記収容孔にその開口部から前方へ取り出し可能に収容された接続具収容装置において、上記接続具を所定の支持位置から後方へ移動不能に支持する支持部が設けられた可動部材をさらに備え、上記可動部材が、上記収容孔に収容位置とこの収容位置に対して前方に離間した取出し位置との間を前後方向へ移動可能に設けられていることを特徴としている。
この場合、上記支持部には、上記ケーブルが前後方向へ移動可能に挿通される貫通孔が形成され、上記ケーブルをその径方向へ移動させて上記支持部の外部から上記貫通孔まで挿入することができるよう、上記支持部には、上記支持部の外面から上記貫通孔の内周面まで延びるスリットが形成されていることが望ましい。特に、上記可動部材が上記収容位置とそこから上記収容孔の後端側へ所定距離だけ離れた装着位置との間を移動可能であり、上記可動部材が上記装着位置に位置しているときには、上記支持部が上記収容孔から後方へ抜け出て、上記支持部及び上記スリットが外部に開放されることが望ましい。
また、上記接続具が上記支持位置に位置している状態において、上記可動部材が上記収容位置に移動させられると上記接続具のほぼ全部が上記収容孔内に収容され、上記可動部材が上記取出し位置に移動させられると、上記接続具の少なくとも先端部が上記収容孔から前方に突出させられることが望ましい。
上記収容孔が断面四角形状に形成され、上記収容孔の長手方向から上記可動部材を見たとき、上記可動部材が「コ」字状をなすように、上記可動部材が、互いに対向して配置された第１及び第２壁部と、この第１及び第２壁部の一側部間に設けられた第３壁部とを有し、上記第１〜第３壁部の少なくとも一つに上記支持部が設けられていることが望ましい。
上記第１及び第２壁部のうちの、上記支持位置に位置している上記接続具の少なくとも先端部と対向する部分が切り欠かれており、その切り欠き部は、上記可動部材が上記取出し位置に位置すると、少なくとも上記切り欠き部の上記接続具と対向した先端部が上記収容孔の開口部から外部に露出するように配置されていることが望ましい。
上記可動部材の先端部には、操作部が設けられており、この操作部が上記支持位置に位置している上記接続具より前方に配置されていることが望ましい。
【発明の効果】
【０００７】
上記特徴構成を有するこの発明において、いま、可動部材が収容位置に位置するとともに、接続具が支持位置に位置し、その結果接続具が収容孔内に収容されているものとする。接続具を収容孔から引き出す際には、可動部材を収容位置から取出し位置まで前方へ移動させる。すると、接続具が可動部材と一緒に移動し、可動部材の移動距離の分だけ前方に位置する。したがって、接続具が摘み易くなり、収容孔から前方へ容易に引き出すことができる。
【図面の簡単な説明】
【０００８】
【図１】図１は、この発明に係る端子収容装置（接続具収容装置）が設けられた机を示す斜視図である。
【図２】図２は、同机の正面図である。
【図３】図３は、この発明に係る端子収容装置の一実施の形態を、可動部材を収容位置に位置させた状態で示す斜視図である。
【図４】図４は、同実施の形態を、可動部材を取出し位置に位置させた状態で示す斜視図である。
【図５】図５は、端子を引き出した状態で示す図４と同様の斜視図である。
【図６】図６は、同実施の形態を、可動部材を収容位置に位置させた状態で示す側面図である。
【図７】図７は、図６のＸ−Ｘ線に沿う断面図である。
【図８】図８は、図６のＹ−Ｙ線に沿う断面図である。
【図９】図９は、可動部材を取出し位置に位置させた状態で示す図８と同様の断面図である。
【図１０】図１０は、可動部材を装着位置に位置させた状態で示す図８と同様の断面図である。
【図１１】図１１は、同実施の形態において用いられているケーシングを示す正面図である。
【図１２】図１２は、同ケーシングを示す平面図である。
【図１３】図１３は、同ケーシングを示す底面図である。
【図１４】図１４は、同ケーシングを示す側面図である。
【図１５】図１５は、図１２のＸ−Ｘ線に沿う断面図である。
【図１６】図１６は、同ケーシングを示す斜視図である。
【図１７】図１７は、同実施の形態において用いられている可動部材を示す正面図である。
【図１８】図１８は、同可動部材を示す平面図である。
【図１９】図１９は、同可動部材を示す底面図である。
【図２０】図２０は、同可動部材を示す側面図である。
【図２１】図２１は、同可動部材を示す斜視図である。
【発明を実施するための形態】
【０００９】
以下、この発明を実施するための最良の形態を、図面を参照して説明する。
図１及び図２は、この発明に係る端子収容装置（接続具収容装置；以下、収容装置と略称することもある。）１が設けられた机Ｄを示す。机Ｄは、長手方向を左右方向に向けた水平な上板部Ｄａを有しており、上板部Ｄａの右端部の後側部分には、上板部Ｄａを上下に貫通する装着孔Ｄｂが形成されている。この装着孔Ｄｂには、収容装置１が装着されている。収容装置１の構造については、説明の便宜上、図１の上下左右及び前後を用いて説明する。ただし、収容装置１は、家屋の壁や床に設けられることもある。したがって、収容装置１の構造は、以下に述べる上下左右及び前後に限定されるものではない。
【００１０】
収容装置１は、収容ボックス２を有している。収容ボックス２は、樹脂を成形してなるものであり、平面視略長方形の筒状をなす本体部２１を有している。本体部２１は、その長手方向を左右方向に向けて水平に配置されている。本体部２１の上下の両端部は、それぞれ開口させられている。本体部２１の外周面の上端部には、フランジ部２１ａが全周にわたって形成されている。そして、本体部２１が装着孔Ｄｂに挿入されるとともに、フランジ部２１ａが上板部Ｄａの上面に突き当てられている。フランジ部２１ａには、木ねじ（図示せず）が挿通されており、この木ねじを上板部Ｄａに螺合させて締め付けることにより、フランジ部２１ａが上板部Ｄａに固定され、ひいては収容ボックス２が机Ｄに固定されている。フランジ部２１ａは、他の固定手段によって上板部Ｄａに固定してもよい。
【００１１】
フランジ部２１ａの外周部には、化粧板２２が着脱可能に嵌合されている。この化粧板２２によって本体部２１及びフランジ部２１ａが覆われている。したがって、本体部２１及びフランジ部２１ａは、上方から目視することができない。
【００１２】
本体部２１の内部の左端部には、第１収容部２３が本体部２１と一体に設けられている。第１収容部２３には、入力端子Ｃｉが固定状態で収容されている。第１収容部２３の上板部には、これを上下に貫通する貫通孔２３ａが形成されている。この貫通孔２３ａは、入力端子Ｃｉの真上に配置されている。また、化粧板２２には、これを上下に貫通する窓孔２２ａが形成されている。窓孔２２ａは、貫通孔２３ａより大きく形成されており、平面視したときに貫通孔２３ａが窓孔２２ａ内に入り込むよう、貫通孔２３ａの真上に配置されている。貫通孔２２ａ及び窓孔２３ａには、例えばパソコンにケーブルを介して接続された出力端子（いずれも図示せず）が挿通され、入力端子Ｃｉに着脱可能に接続される。入力端子Ｃｉは、例えば机Ｄに設けられたスピーカ（図示せず）に接続されている。したがって、入力端子Ｃｉに出力端子を接続することにより、スピーカから音を出力させることができる。
【００１３】
収容ボックス２の左側の部分には、蓋体２４が設けられている。この蓋体２４は、開位置と開位置との間を回転変位可能である。蓋体２４は、図７〜図９に示す開位置に位置しているときには、その長手方向を上下方向に向けた状態で第１収容部２３と本体部２１の左側壁部との間に入り込んでおり、窓孔２２ａを開いている。蓋体２４は、開位置から上方へ向かって所定の位置まで移動させられると、その下端部を中心として図７の時計方向へ回転可能になる。その後、蓋体２４をその長手方向が水平方向を向くまで回転させると閉位置に達し、それ以上回転することができなくなる。蓋体２４が閉位置に回転すると、窓孔２２ａが蓋体２４によって閉じられる。この結果、第１収容部２３、貫通孔２３ａ及び入力端子Ｃｉが外部から目視不能になる。蓋体２４は、上記と逆の手順により、閉位置から開位置まで回転変位させることができる。
【００１４】
本体部２１の内部の右端部には、第２収容部２５が本体部２１と一体に設けられている。第２収容部２５には、この発明に係る接続具収容装置の装置本体としてのケーシング３が収容されている。ケーシング３は、特に図１１〜図１６に示すように、平面視略長方形の筒状をなしており、その内部が収容孔３１とされている。
【００１５】
ケーシング３は、その長手方向を上下方向に向けた状態で第２収容部２５内に収容されている。ケーシング３の左右方向の一側部及び他側部の外面の上端部には、突出部３ａ，３ｂがそれぞれ形成されている。この突出部３ａ，３ｂが第２収容部２５に形成された係合部２５ａ，２５ｂにそれぞれ係合することにより、ケーシング３が第２収容部２５に位置固定状態で取り付けられている。ケーシング３が第２収容部２５に取り付けられた状態では、ケーシング３の上端面が第２収容部２５の上板部の下面にほぼ接触させられている。
【００１６】
第２収容部２５の上板部には、これを上下に貫通する貫通孔２５ｃが形成されている。貫通孔２５ｃは、ケーシング３の収容孔３１の内周面の断面形状及び寸法とほぼ同一の断面形状及び寸法を有しており、収容孔３１と水平方向において同一位置に配置されている。したがって、貫通孔２５ｃの内周面は、収容孔３１の内周面の延長上に位置している。また、化粧板２２には、窓孔２２ｂが形成されている。窓孔２２ｂは、貫通孔２５ｃの真上に配置されている。しかも、窓孔２２ｂは、貫通孔２５ｃより大きく形成されている。したがって、窓孔２２ｂを平面視すると、貫通孔２５ｃが窓孔２２ｂ内に入り込む。
【００１７】
収容ボックス２の右側の部分には、蓋体２６が設けられている。この蓋体２６は、開位置と開位置との間を回動変位可能である。蓋体２６は、図７〜図９に示す開位置に位置すると、その長手方向を上下方向に向けた状態で第２収容部２５と本体部２１の右側壁部との間に入り込み、窓孔２２ｂを開く。蓋体２６は、開位置から上方へ向かって所定の位置まで移動させられると、下端部を中心として図７の反時計方向へ回転可能になる。その後、蓋体２６をその長手方向が水平方向を向くまで回転すると閉位置に達し、それ以上回転することができなくなる。蓋体２６が閉位置に回転すると、窓孔２２ｂが蓋体２６によって閉じられる。その結果、第２収容部２５、貫通孔２５ｃ及びケーシング３が外部から目視不能になる。蓋体２６は、上記と逆の手順により、閉位置から開位置まで回転変位させることができる。
【００１８】
ケーシング３の収容孔３１には、可動部材４がケーシング３の長手方向（上下方向）へ移動可能に挿入されている。可動部材４は、図１７〜図２１に示すように、長手方向を上下方向に向け、かつ左右方向に対向して配置された第１及び第２壁部４１，４２と、この第１及び第２壁部４１，４２の一側部間に設けられた第３壁部４３とにより、平面視「コ」字状に形成されている。そして、可動部材４は、第１及び第２壁部４１，４２間の開放部を前方に向けた状態で収容孔３１に挿入されている。可動部材４は、第１及び第２壁部４１，４２間の開放部を前方以外の方向、つまり左方、右方及び後方のいずれかの方向に向けて配置してもよい。
【００１９】
可動部材４は、ケーシング３に対し、図７及び図８に示す収容位置と図９に示す取出し位置との間、及び収容位置と図１０に示す装着位置との間を上下方向へ移動可能である。
【００２０】
図８に示すように、収容孔３１の左右の両側面の下端部には、収容孔３１の内部側へ向かって突出する突出部３ｃ，３ｄが形成されている。突出部３ｃ，３ｄの上面には、収容孔３１の内側へ向かって下り勾配をなす第１停止面３ｅ，３ｆがそれぞれ形成されている。一方、可動部材４の第１及び第２壁部４１，４２の外面の上下方向の中間部には、外側に向かって上り勾配をなす第１当接面４１ａ，４２ａが形成されている。可動部材４が取出し位置から所定距離だけ下方へ移動すると、第１当接面４１ａ，４２ａが第１停止面３ｅ，３ｆにそれぞれ突き当たる。これによって、可動部材４が停止する。このときの可動部材４の位置が収容位置である。可動部材４が収容位置に位置すると、可動部材４の上端面がケーシング３の上端面及び化粧板２２の下面と上下方向においてほぼ同一位置に位置する。したがって、蓋体２６が閉位置に位置すると蓋体２６の下面が可動部材４の上端面にほぼ接する。
【００２１】
ケーシング３の突出部３ｃ，３ｄの各下面には、水平な第２停止面３ｇ，３ｈがそれぞれ形成されている。一方、可動部材４の第１及び第２板部４１，４２の外面の下端部には、外側に向かって突出する突出部４１ｂ，４２ｂがそれぞれ形成されている。可動部材４が収容位置から所定距離だけ上方へ移動すると、図９に示すように、当接部４１ｂ，４２ｂの上面が第２停止面３ｇ，３ｈにそれぞれ突き当たり、可動部材４が停止する。このときの可動部材４の位置が取出し位置である。互いに突き当たる突出部４１ｂ，４２ｂの上面と第２停止面３ｇ，３ｈとは、いずれも水平面になっている。したがって、突出部４１ｂ，４２ｂは、第２停止面３ｇ，３ｈを上方へ乗り越えることができず、可動部材４は取出し位置を越えて上方へ移動することがない。
【００２２】
収容孔３１の内周面のうちの後側の背面には、逃げ凹部３ｉが形成されている。この逃げ凹部３ｉは、上下方向に延びており、その下端部はケーシング３の下端面に開放されている。一方、逃げ凹部３ｉの上端は、収容孔３１の上端より所定距離だけ下側において止まっており、逃げ凹部３ｉの上端部の深さは上方へ向かって漸次浅くなっている。一方、可動部材４の第３壁部４３には、略「Ｕ」字状に延びるスリット４３ａが形成されている。このスリット４３ａが形成されることにより、第３壁部４３には、上端部が第３壁部４３に一体に形成され、下端部が自由端部とされた弾性片４３ｂが形成されている。この弾性片４３ｂの外面の下端部には、突起４３ｃが形成されている。この突起４３ｃは、可動部材４が収容位置と取出し位置から下方へ若干の距離だけ離間した所定の接触開始位置との間に位置しているときには、逃げ凹部３ｉ内に入り込んでおり、収容孔３１の内周面（逃げ凹部３ｉの底面）に接触することがない。したがって、弾性片４３ｂは、弾性変形のない自然状態になっている。可動部材４が接触開始位置を越えると、突起４３ｃが逃げ凹部３ｉの底面の上端部に接触し始め、さらに可動部材４が上方へ移動すると、突起４３ｃが逃げ凹部３ｉから上方へ脱出して収容孔３１の背面に接触する。突起４３ｃが収容孔３１の背面に接触すると、弾性片４３ｂが突起４３ｃの高さの分だけ弾性変形する。その結果、弾性片４３ｃは、突起４３ｂをケーシング３の内周面の背面に押圧接触させるとともに、第１及び第２壁部４１，４２の前面を収容孔３１の前面に押圧接触させる。そして、それらの押圧接触面間に作用する摩擦抵抗により、可動部材４がケーシング３に位置固定される。したがって、可動部材４は、取出し位置及びその下側の近傍の位置に位置すると、摩擦抵抗によってその位置に維持される。可動部材４が取出し位置から下方へ移動させられて接触開始位置を越えると、突起４３ｂが逃げ凹部３ｉ内に入り込む。この結果、摩擦抵抗が作用しなくなり、可動部材４はその自重によって収容位置まで移動する。
【００２３】
図８に示すように、可動部材４の第３壁部４３の上下方向の中間部には、スリット４３ｄ，４３ｄが形成されている。このスリット４３ｄ，４３ｄは、第２壁部４３の第１及び第２壁部４１，４２に接するように配置されている。この結果、第１及び第２壁部４１，４２の上下方向の中間部、つまり第１当接面４１ａ，４２ａが形成された中間部が左右方向へ弾性変形可能になっている。第１及び第２板部４１，４２は、第１当接面４１ａ，４２ａが第１停止面３ｅ，３ｆを乗り越えることができるまで弾性変形可能である。したがって、可動部材４を所定の大きさを越える力で下方へ押し下げると、第１当接面４１ａ，４２ａが第１停止面３ｅ，３ｆを乗り越え、可動部材４が収容位置を越えて下方へ移動する。
【００２４】
特に図１７、図２０及び図２１に示すように、第３壁部４３の両側面の上端部には、突出部４３ｅ，４３ｅが形成されている。図７に示すように、突出部４３ｅ，４３ｅは、可動部材４が収容位置に位置しているときには、第１停止面３ｅ，３ｆから上方へ離間しているが、可動部材４が収容位置から下方へ所定距離だけ移動すると、第１停止面３ｅ，３ｆに突き当たる。この結果、可動部材４がそれ以上下方へ移動することができなくなる。このときの可動部材４の位置が装着位置である。
【００２５】
なお、可動部材４は、収容孔３１にその上端開口部から下方へ挿入することができる。すなわち、可動部材４の第１及び第２板部４１，４２の下部は、その下端部が互いに接近するように弾性変形可能になっており、可動部材４の下端部を収容孔３１にその上端開口部から挿入すると、突出部４１ｂ，４２ｂが突出部３ｃ，３ｄに突き当たる。すると、第１及び第２板部４１，４２は、その下部が互いに接近するように弾性変形する。したがって、突出部４１ｂ，４２ｂは、突出部３ｃ，３ｄを下方へ乗り越えることができ、可動部材４が収容孔３１内に収容位置まで挿入される。収容位置に挿入された可動部材４は、収容位置と取出し位置との間、及び収容位置と装着位置との間を上下方向へ移動可能である。
【００２６】
可動部材４の内部の上下方向の中間部には、水平壁部（支持部）４４が形成されている。水平壁部４４は、パソコン（図示せず）に接続される端子（接続具）５を支持するためのものであり、端子５の下端部が載置されている。水平壁部４４に載置されたときの端子５の位置が支持位置である。水平壁部４４は、可動部材４が収容位置に位置しているときに、支持位置に位置している端子５の上端が収容孔３１の上端より下側に位置するように、つまり端子５全体が収容孔３１内に収容されるように配置されている。したがって、可動部材４が収容位置に位置しているときには、支持位置に位置している端子５を指で摘むことが困難であり、端子５を収容孔３１から取り出すことがほとんど不可能である。
【００２７】
水平壁部４４の中央部には、これを上下に貫通する貫通孔４４ａが形成されている。この貫通孔４４ａには、ケーブル６が挿通されている。ケーブル６の一端部（上端部）は、端子５に接続されている。ケーブル６の他端部は、インターネットに接続されている。したがって、端子５をパソコンに接続すると、インターネット通信を行うことができる。なお、貫通孔４４ａの大きさは、端子５が貫通孔４４ａ内にその上端開口部から入り込むことができないような大きさに設定されている。したがって、貫通孔４４ａが形成されても、端子５の支持位置が変わることはない。
【００２８】
水平壁部４４には、その前面から貫通孔４４ａまで延びるスリット４４ｂが形成されている。このスリット４４ｂの幅は、ケーブル６の外径より若干大きくなっている。したがって、ケーブル６は、その径方向へ移動させることにより、スリット４４ｂを通して貫通孔４４ａに挿入することができる。しかも、図１０に示すように、可動部材４を装着位置に移動させると、水平壁部４４に載置された端子５の上端部を除くほぼ全体が収容孔３１から下方に露出する。したがって、端子５を可動部材４の前側の開放部から後方へ移動させて水平壁部４４上に載置するとともに、ケーブル６を貫通孔４４ａにスリット４４ｂを介して容易に挿入することができる。
【００２９】
図４に示すように、可動部材４を収容位置から取出し位置まで移動させると、端子５の少なくとも上端部（先端部）が収容孔３１から上方（前方）に突出する。特に、この実施の形態では、端子５のほぼ全体が収容孔３１から上方に突出する。したがって、端子５を指で容易に掴むことができ、端子５を収容装置１から上方に取り出すことができる。
【００３０】
特に、図２０及び図２１に示すように、第１及び第２壁部４１，４２には、切り欠き部４１ｃ，４２ｃがそれぞれ形成されている。この切り欠き部４１ｃ，４２ｃは、第１及び第２壁部４１，４２の水平壁部４４より所定距離だけ上側の部分から上端までの部分であって、その前側の部分に形成されている。切り欠き部４１ｃ，４２ｃは、支持位置に位置している端子５の下端部を除くほぼ全体と対向し、しかも可動部材４が取出し位置に位置すると、収容孔３１から上方へ抜き出るように配置されている。したがって、可動部材４を取出し位置に移動させると、端子５が切り欠き部４１ｃ，４２ｃを介して左右の外部に露出し、切り欠き部４１ｃ，４２ｃから親指と人差し指を挿入して端子５を摘むことができる。したがって、端子５を容易に摘まむことができ、収容装置１からより一層容易に抜き出すことができる。しかも、可動部材４は、取出し位置に位置すると弾性片４３ｂによって取出し位置に維持されているから、可動部材４を収容位置側へ移動しないように押さえておく必要がない。よって、端子５をさらに容易に取り出すことができる。切り欠き部４１ｃ，４２ｃは、その下端部が水平壁部４４の上面とほぼ接するように配置してもよく、また第１及び第２壁部４１，４２の前側部分だけでなく、全幅にわたって形成してもよい。
【００３１】
特に、図１８、図２０及び図２１に示すように、第３壁部４３の前側（第１、第２壁部４１，４２側）を向く面の上端部には、前方へ突出する操作突出部（操作部）４５が形成されている。操作突出部４５は、可動部材４が収容位置に位置しているとき、操作突出部４５の上面がケーシング３の上端面と上下方向においてほぼ同一の位置に位置し、操作突出部４５の下面が端子５より上方に位置している。
【００３２】
操作突出部４５の前面は、円弧面によって形成されている。その円弧面の曲率中心は、第３壁部４３の幅方向の中央に配置されている。したがって、操作突出部４５の突出量は、第３壁部４３の幅方向の中央において最も大きくなっており、幅方向の両端側へ向かって小さくなっている。操作突出部４５の両端部（第３壁部４３の幅方向の両端部）の突出量は、第１及び第２壁部４１，４２の上端部の前後方向の幅と同一に設定されており、当該両端部は第１及び第２壁部４１，４２の上端部に一体に連設されている。
【００３３】
操作突出部４５の最大突出量は、切り欠き部４１ｃ，４２ｃの前後方向の幅（図２０において左右の幅）より小さくなっている。したがって、図３に示すように、可動部材４が収容位置に位置しているときには、操作突出部４５の前面と収容孔３１の内周面のうちの前面との間に隙間Ｓが形成される。この隙間Ｓの大きさは、その隙間Ｓに人差し指等を上から挿入するのに十分な大きさになっている。したがって、隙間Ｓに人差し指及び／又は中指を差し込んだ後、その指の先端部を操作突出部４５の下面に引っ掛けて持ち上げることにより、可動部材４を収容位置から取出し位置まで移動させることができる。また、操作突出部４５の上面を下方へ押すことにより、可動部材４を取出し位置から収容位置まで移動させることができる。
【００３４】
可動部材４は、人手によって移動させることなく、機械的に移動させてもよい。例えば、ケーシング３と可動部材４との間にモータを駆動源とする移動機構を設けるとともに、収容ボックス２に切替スイッチを設け、切替スイッチを操作することにより、可動部材４を収容位置と取出し位置との間を移動させてもよい。その場合には、操作突出部４５が不要である。
【００３５】
上記構成の収容装置１において、いま、蓋体２６が閉位置に位置しているものとする。この状態では、化粧板２２の窓孔２２ｂが閉じられており、ケーシング３及び可動部材４が遮蔽されている。したがって、端子５を収容装置１から取り出すことができない。
【００３６】
端子５を収容装置１から取り出す場合には、まず、蓋体２６を開位置まで移動させて、窓孔２２ｂを開く。次に、窓孔２２ｂにその上端開口部から指を挿入し、操作突出部４５の下面に指を引っ掛ける。このとき、操作突出部４５の下面が端子５より上方であって、ケーシング３の上端面の近傍に位置しているので、指を収容孔３１の上端部に挿入した後、水平方向に折り曲げることにより、指の先端部を操作突出部４５の下面に容易に引っ掛けることができる。その後、操作突出部４５を持ち上げ、可動部材４を収容位置から取出し位置まで移動させる。すると、端子５が収容孔３１から上方へ突出して外部に露出する。そこで、親指と人差し指を切り欠き部４１ｃ，４２ｃから挿入して端子５摘まみ、上方へ移動させる。これにより、端子５を収容装置１から取り出すことができ、パソコン等に接続することができる。
【００３７】
端子５を収容装置１に収容する場合には、端子５を水平壁部４４に載置する。その後、操作突出部４５の上面を下方に押して可動部材４を下方へ移動させる。可動部材４は、接触開始位置を越えると、その自重によって収容位置まで下方へ移動する。その後、蓋体２６を閉位置に戻す。
【００３８】
ここで、この発明の端子収容装置１によれば、操作突出部４５が端子５より上方（前方）に配置されているから、操作突出部４５を指で容易に操作することができ、可動部材４を収容位置から取出し位置まで容易に移動させることができる。可動部材４が取出し位置に移動すると、水平壁部４４に支持された端子５が収容孔３１から上方に突出する。しかも、この実施の形態では、第１及び第２壁部４１，４２の上端部に切り欠き部４１ｃ，４２ｃが形成され、その切り欠き部４１ｃ，４２ｃを介して端子５が左右方向に露出するから、切り欠き部４１ｃ，５２ｃから親指と人差し指とを可動部材４内に挿入することにより、端子５を指で容易に摘まむことができる。したがって、端子５を収容孔３１から上方へ容易に引き出すことができる。
【００３９】
なお、この発明は、上記の実施の形態に限定されるものでなく、その要旨を逸脱しない範囲において各種の変形例を採用することができる。
例えば、上記の実施の形態においては、接続具としてインターネットに接続された端子５用いられているが、コンセント用のプラグを用いてもよい。その場合には、プラグに電源用の電線（ケーブル）が接続され、その電線が貫通孔４４ａに移動可能に挿通される。
また、上記の実施の形態においては、装置本体として筒状のケーシング３が用いられているが、装置本体は、収容孔３１を有するものであれば、必ずしも筒状である必要がない。また、ケーシング３は、収容ボックス２を介して机Ｄに設けられているが、机Ｄに直接設けてもよい。あるいは、机Ｄその他の躯体に収容孔を設け、この収容孔に可動部材４を移動可能に挿入してもよい。その場合には、机Ｄ等の躯体が装置本体となる。
また、上記の実施の形態においては、操作部として第３壁部４３の上端部から前方へ突出する操作突出部４５が形成されているが、可動部材４が収容位置に位置しているときに第３壁部４３の上端部が収容孔３１から上方に突出するように、第３壁部４３の上端部を上方へ延ばし、その突出した第３壁部４３の上端部（先端部）を操作部としてもよい。同様に、第１及び第２壁部４１，４２の少なくとも一方の上端部を収容孔３１から上方へ突出させて操作部としてもよい。さらに、第１〜３壁部のいずれか一つの先端部の内面に、指又はその他のものを引っ掛けて可動部材４を収容位置から上方へ移動させるための凹部又は孔を設け、この凹部又は孔を操作部としてもよい。いずれにしても、操作部は、指その他のもので可動部材４を収容位置から上方へ移動させることができるものであればよい。
また、上記の実施の形態においては、水平壁部（支持部）４４を第１、第２及び第３壁部４１，４２，４３と一体に形成しているが、第１、第２及び第３壁部４１，４２，４３のいずれかの一つ又は二つと一体に形成し、他とは分離してもよい。
さらに、上記の実施の形態においては、端子５及びケーブル６をケーブル６の径方向へ移動させて、端子５を水平壁部４４に載置するとともに、貫通孔４４ａに挿入しているが、貫通孔４４ａを端子５が挿通可能であるように形成し、端子５を貫通孔４４ａの下端開口部から挿入して水平壁部４４に載置するとともに、ケーブル６を貫通孔４４ａに挿通するようにしてもよい。ただし、その場合には、端子５が貫通孔４４ａを通って下方へ抜け出ることを阻止することができるように構成する必要がある。
【符号の説明】
【００４０】
１    接続具収容装置
３    ケーシング（装置本体）
４    可動部材
５    端子（接続具）
６    ケーブル
３１    収容孔
４１    第１壁部
４１ｃ    切り欠き部
４２    第２壁部
４２ｃ    切り欠き部
４３    第３壁部
４４    水平壁部（支持部）
４４ａ    貫通孔
４４ｂ    スリット
４５    操作突出部（操作部）
【図１】
2014191874.tif 000003
【図２】
2014191874.tif 000004
【図３】
2014191874.tif 000005
【図４】
2014191874.tif 000006
【図５】
2014191874.tif 000007
【図６】
2014191874.tif 000008
【図７】
2014191874.tif 000009
【図８】
2014191874.tif 000010
【図９】
2014191874.tif 000011
【図１０】
2014191874.tif 000012
【図１１】
2014191874.tif 000013
【図１２】
2014191874.tif 000014
【図１３】
2014191874.tif 000015
【図１４】
2014191874.tif 000016
【図１５】
2014191874.tif 000017
【図１６】
2014191874.tif 000018
【図１７】
2014191874.tif 000019
【図１８】
2014191874.tif 000020
【図１９】
2014191874.tif 000021
【図２０】
2014191874.tif 000022
【図２１】
2014191874.tif 000023